(57)【要約】      （修正有）【課題】入賞口への入賞する入賞動作を安定させると共に入賞口の開閉動作の信頼性の高い可変入賞装置を提供する。【解決手段】開閉部材３８により入賞口を閉鎖された常態では回転体３４の自由回転を許容し、所定の条件が成立したことと条件に、開閉部材３８が入賞口を開放すると共に回転体３４の回転を規制する。【選択図】図６
2015213529.tif 000002
【特許請求の範囲】
【請求項１】
遊技盤の遊技領域を流下する遊技球を通過させる上下に開口した枠体と、
前記遊技盤と平行方向に配置される回転軸を中心に交差配置された複数の羽根を有し、該羽根が前記枠体の開口内に臨むように回転可能に軸支された回転体と、
前記枠体を正面視して左右方向一方側の端部に前記開口に臨んで形成され、所定の条件  下で前記開口に臨む前記回転体の羽根を通じて誘導される遊技球を受け入れる入賞口と、
前記入賞口に入賞した遊技球を検出する入賞球検出手段と、
所定の条件下で前記入賞口を開閉するとともに前記回転体の回転を規制する開閉部材と、
前記開閉部材の開閉動作を制御する駆動機構と、を具備し、
前記開閉部材により前記入賞口を閉鎖された常態では前記回転体の自由回転を許容し、前記所定の条件が成立したことと条件に、前記開閉部材が前記入賞口を開放すると共に前記回転体の回転を規制することを特徴とする可変入賞装置。
【請求項２】
前記入賞口が前記開閉部材によって閉鎖されている常態では、前記枠体内に流下した遊技球を前記開口に臨む羽根が受けて前記回転体が自由回転することによって遊技領域を流下させ、前記所定の条件が成立したことを条件に、前記駆動機構が作動して前記開閉部材が前記入賞口を開放させるとともに前記回転体の回転を規制し、前記枠体内に流下した遊技球を前記枠体内に臨む羽根によって前記入賞口へ誘導する請求項１記載の可変入賞装置。
【請求項３】
前記回転体の各羽根には、前記遊技球を前記入賞口へ誘導する傾斜が設けられている請求項１又は２記載の可変入賞装置。
【請求項４】
前記回転体の各羽根には、前記遊技球を前記入賞口へ誘導する誘導壁が設けられている請求項１又は２記載の可変入賞装置。
【請求項５】
前記回転体には、前記開閉部材と係止して回転が規制される回転規制部が前記各羽根に対応して設けられている請求項１乃至請求項４のいずれか１項騎記載の可変入賞装置。
【請求項６】
請求項１乃至請求項５のいずれか１項記載の可変入賞装置を備え、入賞した所定数の遊技球に対応する既定の賞球を球払出装置から球受け皿に払い出す遊技機。
【発明の詳細な説明】
【技術分野】
【０００１】
本発明は、可変入賞装置及びこれを備えた遊技機に関する。
【背景技術】
【０００２】
パチンコ機などの遊技機は、球受け皿に貯留された遊技球を球発射装置の発射位置へ誘導し、前枠又は内枠に設けた発射ハンドルの操作により球発射装置を作動させて遊技盤の遊技領域に向かって遊技球を発射させる。遊技盤には、図柄表示装置や風車、チァッカー、賞球が払い出される普通入賞口や賞球が払い出されるともに図柄表示装置で抽選が開始される始動入賞口、大当たり（大入賞）が発生した場合に開口するアタッカー（可変入賞装置）などの役物が設けられている。
【０００３】
入賞口やアタッカーに遊技球が入賞すると、入賞した球数だけ、所定の賞球が払出し装置から打球受け皿に払い出される。風車に打球入賞口を設けて風車の回転を許容若しくは阻止して風車と入賞装置を一体化した入賞装置（特許文献１）や、左右に設けられた羽根車が自由回転して遊技球を落下させる状態と、強制回転させて特別入賞口や一般入賞口に遊技球を誘導する状態を切り替える入賞装置（特許文献２）などが提案されている。或いは大入賞口を開閉する開閉部材を、側面視十字状に交差して設けられた枠体部と平板部とで形成し、一方向に回転させることで、大入賞口を開閉する開閉装置（特許文献３）が提案されている。これらは遊技者の興趣を向上させたり、開閉速度を向上させるものであるが、風車の回転を阻止したり羽根車や開閉部材を強制回転させたりする際に、規定数より多い複数の遊技球を入賞口へ導いてしまうため、球払出装置から払い出される賞球数がばらつくおそれがあった。
【０００４】
この遊技球の大入賞口への入賞個数を安定させるため、遊技盤の取付孔に前枠部及び後枠部を備えた枠体部が組み付けられ、該枠体部の入球口内に枠状の開閉部材を配置し、遊技球を入球口を流下させる開口位置と入球口を塞いで入賞口へ遊技球を案内する入賞位置とで前後に位置を切り替えるようにした大入賞口装置も提案されている（特許文献４参照。）
【先行技術文献】
【特許文献】
【０００５】
【特許文献１】実開４−１９６９号公報
【特許文献２】特開平６−３２７８１９号公報
【特許文献３】特許第５１５６５３６号公報
【特許文献４】特開２０１３−２２３５９０号公報
【発明の開示】
【発明が解決しようとする課題】
【０００６】
上述した特許文献４の大入賞口装置においては、枠体部の入球口を流下する遊技球を、開閉部材を後退させて入球口を塞いで流下した遊技球を案内面部にて右枠部より左枠部へ誘導し当該左枠部に設けられた大入賞スイッチを通過させて賞球をカウントした後、所定カウント数が通過すると、開閉部材を前枠部に沿った前方位置へ移動させて入球口を開放して遊技球を流下させるようになっている。
このように枠体部内部の空間を案内面部が形成されたレール状に横長の開閉部材が横切るように前後動するために、入球口へ流下した遊技球を対向する壁面との間で挟み込む（噛み込む）おそれがある。この場合には、開閉部材の開閉動作不良（ロック状態）となって大入賞スイッチを遊技球が通過できないか或いは通過する遊技球の数が規定数を超えてしまい入賞動作が不安定となるおそれがある。
【０００７】
本発明の課題は、上記実情に鑑みてなされたものであり、入賞口への入賞する入賞動作を安定させると共に入賞口の開閉動作の信頼性の高い可変入賞装置及びそれを用いて安定した賞球の払い出し動作が行える遊技機を提供することにある。
【課題を解決するための手段】
【０００８】
本発明は上記目的を達成するため、次の構成を備えることを特徴とする。
遊技盤の遊技領域を流下する遊技球を通過させる上下に開口した枠体と、前記遊技盤と平行方向に配置される回転軸を中心に交差配置された複数の羽根を有し、該羽根が前記枠体の開口内に臨むように回転可能に軸支された回転体と、前記枠体を正面視して左右方向一方側の端部に前記開口に臨んで形成され、所定の条件下で前記開口に臨む前記回転体の羽根を通じて誘導される遊技球を受け入れる入賞口と、前記入賞口に入賞した遊技球を検出する入賞球検出手段と、所定の条件下で前記入賞口を開閉するとともに前記回転体の回転を規制する開閉部材と、前記開閉部材の開閉動作を制御する駆動機構と、を具備し、前記開閉部材により前記入賞口を閉鎖された常態では前記回転体の自由回転を許容し、前記所定の条件が成立したことと条件に、前記開閉部材が前記入賞口を開放すると共に前記回転体の回転を規制することを特徴とする。
これにより、所定の条件が成立したことを条件に（例えばアタッカーの場合、大当たりが発生した際に）開閉部材が入賞口を開放すると共に回転体の回転を規制することで、枠体内に流下した遊技球を入賞口へ導いて入賞させ、入賞球検出手段が所定数の遊技球を検出すると、駆動機構が開閉部材を作動させて入賞口を閉鎖させる共に回転体の自由回転を許容するので、入賞口への入賞動作を安定させると共に枠体内の羽根に流下した遊技球により回転体が自由回転して流下するので枠体内の開口の開閉動作の信頼性を高めることができる。
【０００９】
また、前記入賞口が前記開閉部材によって閉鎖されている常態では、前記枠体内に流下した遊技球を前記開口に臨む羽根が受けて前記回転体が自由回転することによって遊技領域を流下させ、前記所定の条件が成立したことを条件に、前記駆動機構が作動して前記開閉部材が前記入賞口を開放させるとともに前記回転体の回転を規制し、前記枠体内に流下した遊技球を前記枠体内に臨む羽根によって前記入賞口へ誘導する。
よって、所定の条件が成立する前（例えば大当たりが発生する前）は、遊技盤を枠体内に流下した遊技球は回転体の羽根にあたって回転体が自由回転することにより流下する。また、所定の条件が成立する（例えば大当たりが発生する）と、駆動機構が作動して開閉部材が入賞口を開放させるとともに回転体の回転を規制するので、枠体の開口を遮る羽根によって遊技球を入賞口へ誘導して入賞させる。このように、枠体の開口に臨む羽根を有する回転体を自由回転若しくは回転規制する動作を切り替えることで入賞動作が安定し、遊技球を流下させる動作と入賞口へ入賞させる入賞動作の切り替えが確実かつ迅速に行える。
【００１０】
また、前記回転体の各羽根には、前記遊技球を前記入賞口へ誘導する傾斜が設けられているか、或いは回転体の各羽根には、前記遊技球を前記入賞口へ誘導する誘導壁が設けられているのが望ましい。
これにより、大当たりが発生すると、開閉部材により入賞口が開放され回転体の自由回転が規制された状態で開口を塞ぐ羽根に落下した遊技球を入賞口へ誘導して入賞球検出手段により入賞した遊技球の数を検出することができる。
【００１１】
また、前記回転体には、前記開閉部材と係止して回転が規制される回転規制部が前記各羽根に対応して設けられていると、開閉部材が回転規制部と係止すると回転体の自由回転動作が規制されると共に、羽根が枠体開口を流下する遊技球を受け止める位置で停止するので、遊技球を羽根に載せたまま確実に入賞口へ誘導して入賞させることができる。
【００１２】
また上述したいずれかの可変入賞装置を備え、入賞した所定数の遊技球に対応する既定の賞球を球払出装置から球受け皿に払い出す遊技機においては、所定の条件が成立した際に球払出装置から払い出される賞球の数も安定する。
【発明の効果】
【００１３】
上述した可変入賞装置及び遊技機を用いれば、入賞口への入賞する入賞動作を安定させると共に入賞口の開閉動作の信頼性の高い可変入賞装置及びそれを用いて安定した賞球の払い出し動作が行える遊技機を提供することができる。
【図面の簡単な説明】
【００１４】
【図１】パチンコ機の正面図である。
【図２】図１のパチンコ機の背面図である。
【図３】可変入賞装置の正面図、左右側面図、平面図及び底面図、斜視図、矢印Ｐ−Ｐ方向断面図である。
【図４】開閉部材が大入賞口を閉鎖した状態の可変入賞装置の斜め透視図である。
【図５】開閉部材が大入賞口を開放した状態の可変入賞装置の斜め透視図である。
【図６】開閉部材の閉状態を示す平面図及び矢印Ｑ−Ｑ方向断面図及び開閉部材の開状態を示す平面図及び矢印Ｒ−Ｒ方向断面図である。
【図７】駆動機構に連結された開閉部材の閉鎖状態を示す斜視説明図である。
【図８】駆動機構に連結された開閉部材の開放状態を示す斜視説明図である。
【図９】可変入賞装置の正面側分解斜視図である。
【図１０】可変入賞装置の背面側分解斜視図である。
【発明を実施するための形態】
【００１５】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
【００１６】
先ずパチンコ機１の概略構成について説明すると、図１においてパチンコ機１の外形をなす矩形状の外枠２の側部に対して内枠ヒンジ４ａ，４ｂにより内枠３（図２参照）が開閉可能に取り付けられ、該内枠３の側部に対して前枠ヒンジ５ａ，５ｂにより前面枠５が開閉可能に取り付けられている。
【００１７】
前面枠５の中央部には遊技者が遊技盤６を視認できる窓部（ガラス枠）７が設けられている。該窓部７の上方には装飾ランプ８などが設けられている。また、窓部７の下方には、貸球や賞球を貯留し図示しない球発射装置へ球を誘導する球受け皿９が設けられている。球受け皿９の右側には、図示しない球発射装置を作動及び遊技球の発射力を調整するための発射ハンドル１０が設けられている。
【００１８】
遊技盤６の盤面上に形成される遊技領域内には、中央部に図柄表示装置（液晶表示装置）１１を備えたセンター役物１１ａが設けられ、その周囲には図示しない釘、スルーチャッカー１２、風車１３、電動チューリップ１４、可変入賞装置（アタッカー）１５、遊技盤レール１６、サイドランプ１７などの盤面部品やアウト球（電動チューリップ１４，アタッカー１５に入賞しなかった遊技球）を回収するアウト口１８などが設けられている。また、前面枠５にはシリンダ錠５ｃが設けられている。図示しないキーを鍵穴に挿入して回転操作することでシリンダ錠５ｃの開錠施錠が行われる。シリンダ錠５ｃはキーを差し込んで一方向へ回転させると外枠２と内枠３の施錠が開錠され、他方向へ回転させると前面枠５と内枠３の施錠が開錠するようになっている。
【００１９】
図２において、内枠３の背面側上辺部には貯留タンク１９が設けられ、貯留タンク１９にはパチンコ機１が配置されたホールの遊技機島から遊技球が供給される。貯留タンク１９は、球供給方向下流側（図２の右端側）に設けられるタンクレール２０に向けて底部が下方に傾斜するように形成されている。また、タンクレール２０は上下方向に流下する球通路２１を通じて球払出装置２２と接続されている。球払出装置２２は球払出樋２３を通じて遊技球を貸球、賞球として球受け皿９（図１参照）へ払い出される。
【００２０】
また、遊技盤６の背面側は盤裏カバー２４に覆われている。この盤裏カバー２４には、図柄表示装置１１とこれを制御する画像処理基板等（図示せず）が覆われている。また、パチンコ機１の遊技動作を統括制御する主制御基板２５は、基板収納ケースに収納されて封止されている。また、主制御基板２５のほかに、球払出装置２２の球払出し動作を制御する払出制御基板２６、球発射装置（図示せず）の動作を制御する発射制御基板２７などが設けられている。
【００２１】
次に、遊技盤６に設けられる可変入賞装置（アタッカー）１５の構成について、図３乃至図１０を参照して説明する。
可変入賞装置１５は、図１の遊技盤６の開口部に組み付けられ、遊技領域を流下する遊技球を通過させる上下に開口３０ａが形成された平面コ字状の枠体３０が設けられている。枠体３０の開口縁部には、落下する遊技球を開口内部へ誘導する開口リブ３０ｂが設けられている（図３（Ｄ），図６（Ａ）（Ｃ），図７参照）。枠体３０は、第１ケース体３１に重ねて組み付けられ、第１ケース体３１は第２ケース体３２に重ね合わせて組み付けられる。上記枠体３０，第１ケース体３１，第２ケース体３２は、アタッカーユニット３３として一体に組み付けられる（図３（Ｂ）（Ｃ）（Ｄ）（Ｅ）（Ｆ）参照）。
【００２２】
図４において、第１ケース体３１には、遊技盤６と平行方向に配置される回転軸３４ａを中心に交差配置された複数の羽根３５を有する回転体３４が設けられている。この回転体３４は、例えば回転軸３４ａの周囲に９０°の位相差を設けて所定の長さと幅を有する４枚の羽根３５が設けられている（図９参照）。回転体３４の回転軸３４ａの左右軸端は、第１ケース体３１の前面側に形成された一対の軸受凹部３１ａ（図９参照）に各々支持され、枠体３０の開口３０ａ内に各羽根３５の少なくとも１枚の羽根３５が臨み、開口３０ａ内に流下した遊技球が羽根３５に接触し荷重がかかることにより自由回転可能に軸支されている。
【００２３】
また、図４及び図５に示すように、回転体３４の各羽根３５には、遊技球を入賞口３６へ誘導する複数（例えば一対）の誘導壁３５ａが設けられている。誘導壁３５ａは、入賞口３６側の端部が低く入賞口３６から離れた反対側端部の高さが高くなるように傾斜している。一対の誘導壁３５ａの間隔は遊技球の直径より狭くなるように起立形成されている。また、図７に示すように、入賞口３６側の回転軸３４ａの近傍（羽根３５の端部位置）には回転歯車状の回転規制部３４ｂが一体に組み付けられている。この回転規制部３４ｂには、回転軸３４ａの周囲に羽根３５に対応して９０°の位相差を設けて４枚の歯３４ｃが設けられている（図６（Ｂ）（Ｄ）参照）。よって、回転規制部３４ｂが後述する開閉部材３８によって回転規制されると、回転規制された羽根３５の位置が開口３０ａを塞ぐように臨む位置で停止するようになっている（図６（Ｄ）参照）。
【００２４】
枠体３０は、パチンコ機１を正面視して左右（長手）方向一方側の端部（左端部）に、入賞口３６が設けられている。入賞口３６は開口３０ａに臨んで形成され、大当たり等の所定の条件が成立したことを条件に開口３０ａを塞ぐように臨む回転体３４の羽根３５を通じて誘導される遊技球を受け入れる（図５参照）。
【００２５】
また、入賞口３６近傍には入賞した遊技球を検出する入賞球検出スイッチ（入賞球検出手段）３７が設けられている。入賞球検出スイッチ３７としては、例えば誘導形近接センサが好適に用いられる。入賞球検出スイッチ３７は第１ケース体３１の取付凹部３１ｂ（図９参照）に挿入され、対向する枠体３０の取付凹部３０ｃ（図７，図８，図１０参照）との間に挟み込まれて組み付けられる。入賞球検出スイッチ３７を通過した遊技球は、枠体３０の入賞球通路３０ｄ（図７，図８参照）、第１ケース体３１の入賞球通路３１ｄ（図４，図５参照）、第２ケース体３２の入賞球通路３２ａ（図９，図１０参照）を通じて回収される。入賞球通路３０ｄを構成する上壁は、開口３０ａに向かって下向きに傾斜している。
【００２６】
また、図６（Ｂ）（Ｄ）に示すように第１ケース体３１と第２ケース体３２との間には、湾曲したアーム状の開閉部材３８が回転可能に設けられている。開閉部材３８の両面に突設された回転軸３８ｂは、第１ケース体３１の背面側に設けられた一対の軸受凹部３１ｅ（図１０参照）に嵌め込まれて、回転軸３８ｂを中心に前後に回転可能に支持されている。この開閉部材３８は、アーム部の先端が入賞口３６と回転体３４の隙間から開口３０ａ内に進入して入賞口３６を閉鎖する閉鎖部３８ａとなっている（図６（Ａ）参照）。また、開閉部材３８の回転軸３８ｂを介して閉鎖部３８ａと反対側の端部は、回転体３４の回転を規制する係合端部３８ｄとなっている（図６（Ｂ）（Ｄ）参照）。また、回転軸３８ｂの下方近傍に伝達部材４１と連係する係合ピン３８ｃが突設されている。そして、開閉部材３８は、大当たり等の所定の条件が成立すると閉鎖部３８ａが開口３０ａから退避して入賞口３６を開放するとともに（図６（Ｃ）参照）回転体３４の回転を規制するようになっている（図６（Ｄ）参照）。
【００２７】
また、図７及び図８に示すように、開閉部材３８の開閉動作を制御する駆動機構３９が第１ケース体３１と第２ケース体３２に組み付けられている（図３（Ｇ）参照）。具体的には、駆動源としてソレノイド４０が縦置き状態で設けられている。ソレノイド４０の作動棒（プランジャ）４０ａには、正面視Ｌ字状をした伝達部材４１の一端に設けられた係止部４１ａが係止している。また伝達部材４１の他端に設けられた係合部４１ｂの係合孔４１ｃは、開閉部材３８の係合ピン３８ｃと係合している。
【００２８】
即ち、ソレノイド４０がＯＦＦ状態では、プランジャ４０ａが図６（Ｂ）に示す位置にある。このとき、開閉部材３８は閉鎖部３８ａが開口３０ａに進入して入賞口３６を閉じた状態（閉鎖部３８ａは羽根３５（誘導壁３５ａ）の端部と重なり合う位置まで進入した状態）にある（図６（Ａ）参照）。
【００２９】
ソレノイド４０がＯＮ状態となると、図６（Ｄ）に示すようにプランジャ４０ａが吸引されて伝達部材４１が上昇し、係合部４１ｂを通じて係合する係合ピン３８ｃを押し上げ、開閉部材３８は回転軸３８ｂを中心に反時計回り方向に回転する。このとき、開閉部材３８の係止端部３８ｄが回転規制部３４ｂのいずれか一の歯３４ｃの歯面３４ｄに当接するため、閉鎖部３８ａが開口３０ａから第１ケース体３１側に退避し、回転体３４が回転規制（ロック）され入賞口３６が開放される（図６（Ｃ）参照）。
【００３０】
これにより、枠体３０の開口３０ａに落下した遊技球は、回転規制された回転体３４の開口３０ａに臨む各羽根３５で受け止められ、誘導壁３５ａによって入賞口３６へ誘導されるようになっている。
尚、各羽根３５に誘導壁３５ａを設ける代わりに、例えば各羽根３５に入賞口３６に向かって高さが低くなる傾斜をつけてもよい。また、各羽根３５の板厚が入賞口３６側に比べて反対側の板厚が厚くなるように形成することで、傾斜を設けてもよい。
【００３１】
また、入賞口３６は入賞球検出スイッチ３７の開口であってもよい。この場合には、入賞口３６の開口直近に入賞球検出スイッチ３７を設置して入賞口３６を通過する遊技球の数が所定数に達するとすぐに駆動機構３９を作動させて回転体３４の回転規制を解除させることができるので、所定数の遊技球が検知された時点で開口３０ａ内に落下して回転体３４の羽根３５に乗っていたとしても、入賞口３６に導かれずに遊技球の荷重により回転体３４を自由回転させて遊技領域に放出し入賞口３６へ過剰に入賞すること防ぐことができる。
【００３２】
図９に示すように、第２ケース体３２の後方位置には、発光基板４２が装着される。発光基板４２には、複数の発光素子（ＬＥＤ）４２ａが基板実装されている。また、発光基板４２の前方には、光透過性樹脂材によって形成される装飾レンズ４３が一体に組み付けられる。装飾レンズ４３は、発光基板４２のＬＥＤ４２ａより照射された光を前方（回転体３４）に向かって拡散させて装飾性を高めるために設けられている。前枠３０が光透過性樹脂材によって形成されていると、遊技者はＬＥＤ４２ａによりライトアップされた回転体３４の回転を視認することができる。
【００３３】
ここで、アタッカーユニット３３の組み付け構成例について図９及び図１０を参照して説明する。先ず図９において、第１ケース体３１の前面側の取付凹部３１ｃに入賞球検出スイッチ３７の長手方向後端が嵌め込まれ、開口部３１ｆの両側に設けられた軸受凹部３１ａに、回転体３４の回転軸３４ａが各々嵌め込まれ、回転体３４が第１ケース体３１に装着される。そして、第１ケース体３１の前方には、枠体３０が開口部３１ｆを覆うように組み付けられ、軸受凹部３１ａに嵌め込まれた回転軸３４ａがコ字状の枠体３０の後面壁で覆われることで、回転体３４が自由回転可能に支持される。一方、図１０に示すように入賞球検出スイッチ３７の長手方向前端は枠体３０の取付凹部３０ｃに嵌め込まれる。これにより入賞球検出スイッチ３７は、枠体３０の取付凹部３０ｃと第１ケース体３１の取付凹部３１ｃとで挟み込まれて組み付けられ、第１ケース体３１と枠体３０が図示しないビスによりビス止めされる。
【００３４】
次に、図１０において、第１ケース体３１の後面側には、駆動機構３９を構成するソレノイド４０、伝達部材４１、開閉部材３８が各々組み付けられる。伝達部材４１の係止部４１ａはプランジャ４０ａと係止し、伝達部材４１の係合部４１ｂは、開閉部材３８の係合ピン３８ｃに係合させて組み付けられ、開閉部材３８は、両側に突設された回転軸３８ｂが第１ケース体３１の軸受凹部３８ｅに嵌め込まれ回転可能に支持される。このとき、湾曲したアーム状の開閉部材３８に囲まれた空間部には、回転体３４の回転規制部３４ｂが位置する。そして、回転体３４を後方から覆うように装飾レンズ４３を第２ケース体３２に図示しないビス止めにより取付ける。最後に発光基板４２を、装飾レンズ４３の後面に位置決めし、第２ケース体３２で発光基板４２を押さえ込み、ビス止めにより第１ケース体３１と第２ケース体３２を一体に組み付ける。
【００３５】
これにより、入賞口３６、入賞球通路３０ｄ，３１ｄ，３２ａが連なったアタッカーユニット３３が組み立てられる（図１（Ｆ），図４参照）。アタッカーユニット３３は、ビス孔３３ａが設けられた取付部３３ｂを遊技盤６に対してビス止めすることで組み付けられる（図３（Ａ），図４参照）。
【００３６】
次に、アタッカーユニット３３の動作例について図４乃至図８を参照して説明する。
遊技者により発射ハンドル１０（図１参照）を操作して遊技が開始され、遊技球が遊技盤６の遊技領域に打ち出される。図４において、開口３０ａに臨む羽根３５が枠体３０内に流下した遊技球（破線部参照）を受けて回転体３４が自由回転することによって、遊技球は開口３０ａを通過して遊技領域に流下させる。
【００３７】
このとき、図６（Ｂ）及び図７に示すように、駆動機構３９のソレノイド４０はＯＦＦ状態にあり、開閉部材３８は回転軸３８ｂを中心に時計回り方向に回転した位置、即ち、閉鎖部３８ａが第１ケース体３１より枠体３０の開口３０ａ内に進入して入賞口３６を閉鎖し、入賞口３６への遊技球の入賞を遮断した状態にある。また、開閉部材３８（係止端部３８ｄ）は、回転体３４（回転規制部３４ｂ）とは離間した非接触状態にある。よって、枠体３０の開口３０ａ内に流下した遊技球は、羽根３５に接触しても回転体３４の自由回転にしたがって流下するだけで入賞口３６に入ることはない。
【００３８】
一方、図柄表示装置１１（図１参照）において抽選が行われ、大当たり等の所定の条件が成立すると、図６（Ｄ）及び図８に示すように、駆動機構３９が作動しソレノイド４０がＯＮ状態となる。このとき、プランジャ４０ａを上方に引き込むためプランジャ４０ａが係止部４１ａに係止している伝達部材４１が上昇し、係合孔４１ｃに係合している係合ピン３８ｃを上動させることで、開閉部材３８を回転軸３８ｂを中心に反時計回り方向に回転させる。これにより、枠体３０の開口３０ａに進入していた開閉部材３８の閉鎖部３８ａが第１ケース体３１内に退避して入賞口３６を開放させるとともに係止端部３８ｄが回転規制部３４ｂの歯面３４ｄに当接して回転体３４の自由回転を規制する。このとき、回転体３４の羽根３５は枠体３０の開口３０ａに臨み遊技球を受け止める位置で停止している。よって、図５に示すように枠体３０の開口３０ａ内に流下した遊技球（破線部参照）は、羽根３５で受け止められ誘導壁３５ａによって入賞口３６へ誘導されて入賞球検出スイッチ３７が入賞球を検出する。入賞球の検出情報は、払出制御基板２６（図２参照）へ送信される。入賞口３６へ入賞した遊技球は、入賞球通路３０ｄ，３１ｄ，３２ａを通じて回収される（図９、図１０参照）。
【００３９】
入賞検出スイッチ３７が所定数の遊技球を検出すると、駆動機構３９の作動を停止させる。即ち、ソレノイド４０がＯＦＦして、図６（Ｂ）及び図７に示すように、開閉部材３８が第１ケース体３１より枠体３０の開口３０ａに進入して入賞口３６を閉鎖させると共に、係止端部３８ｄが回転規制部３４ｂより離間するため、回転体３４の自由回転を許容する。このため、図４に示すように、羽根３５に載った遊技球は、回転体３４の自由回転により枠体３０内を流下する。よって、入賞口３６の開放時に規定数以上の遊技球を入賞させることを阻止し、遊技球の入賞個数を安定させることができる。
【００４０】
払出制御基板２６（図２参照）は、入賞口３６へ入賞した所定の遊技球数に応じて球払出装置２２から球受け皿９へ所定数の賞球を払い出す。よって、大当たりが発生した場合に、球払出装置２２から払い出される賞球の数も安定する。
【００４１】
また、上述した実施形態では可変入賞装置を所定の条件の下で、多量の入賞球を発せさせるアタッカーとして説明したが、タイマー等で計測される時間内等所定の条件の下で随時入賞口を開閉する始動入賞口や一般入賞口等に適用してもよい。また、遊技機の一例としてパチンコ機について説明したが、他の遊技球を使用する遊技機、例えば雀球遊技機やアレンジボール遊技機などに適用してもよい。
【符号の説明】
【００４２】
１  パチンコ機  ２  外枠  ３  内枠  ４ａ，４ｂ  内枠ヒンジ  ５  前面枠  ５ａ，５ｂ  前枠ヒンジ  ５ｃ  シリンダ錠  ６  遊技盤  ７  窓部  ８  装飾ランプ  ９  球受け皿  １０  発射ハンドル  １１  図柄表示装置  １１ａ  センター役物  １２  スルーチャッカー  １３  風車  １４  電動チューリップ  １５  可変入賞装置（アタッカー）  １６  遊技盤レール  １７  サイドランプ  １８  アウト口  １９  貯留タンク  ２０  タンクレール  ２１  球通路  ２２  球払出装置  ２３  球払出し通路  ２４  盤裏カバー  ２５  主制御基板  ２６  払出制御基板  ２７  発射制御基板  ３０  枠体  ３０ａ  開口  ３０ｂ  開口リブ  ３０ｃ，３１ｃ  取付凹部  ３０ｄ，３１ｄ，３２ａ  入賞球通路  ３１  第１ケース体  ３１ａ，３１ｅ，３８ｅ  軸受凹部  ３１ｆ  開口部  ３２  第２ケース体  ３３  アタッカーユニット  ３３ａ  ビス孔  ３３ｂ  取付部  ３４  回転体  ３４ａ  回転軸  ３４ｂ  回転規制部  ３４ｃ  歯  ３４ｄ  歯面  ３５  羽根  ３５ａ  誘導壁  ３６  入賞口  ３７  入賞球検出スイッチ  ３８  開閉部材  ３８ａ  閉鎖部  ３８ｂ  回転軸  ３８ｃ  係合ピン  ３８ｄ  係止端部  ３９  駆動機構  ４０  ソレノイド  ４０ａ  プランジャ  ４１  伝達部材  ４１ａ  係止部  ４１ｂ  係合部  ４１ｃ  係合孔  ４２  発光基板  ４２ａ  発光素子（ＬＥＤ）  ４３  装飾レンズ
【図１】
2015213529.tif 000003
【図２】
2015213529.tif 000004
【図３】
2015213529.tif 000005
【図４】
2015213529.tif 000006
【図５】
2015213529.tif 000007
【図６】
2015213529.tif 000008
【図７】
2015213529.tif 000009
【図８】
2015213529.tif 000010
【図９】
2015213529.tif 000011
【図１０】
2015213529.tif 000012